(57)【要約】【課題】データ管理センタ側のサーバでカードのメモリ容量を管理し、生活者に対してカードの領域を貸与してアプリケーションの選択、追加、削除が任意に行えるようにする。【解決手段】ＩＣカードに関する情報をデータベース化して一元的に管理するデータベースサーバ（１０）と、インターネット経由でアプリケーションを配信する配信ウエブサーバ（１２）とを備えたＩＣカードデータ管理センタ（１）と、ＩＣカードが装着可能な端末装置（３，４，５）とからなり、ＩＣカードが装着され、配信ウエブサーバにアクセスした端末装置に対して、前記データベースサーバからＩＣカードの現在のメモリ容量、ダウンロード可能なアプリケーション情報を提示し、ダウンロード要求のあったアプリケーションを配信ウエブサーバを介してＩＣカードに対してダウンロードする。【選択図】　　　　図１
2004030238.tif 000002
【特許請求の範囲】
【請求項１】
個人情報、カード情報、搭載可能なアプリケーション情報、イシュア情報を含むＩＣカードに関する情報をデータベース化して一元的に管理するデータベースサーバと、インターネット経由でアプリケーションを配信する配信ウエブサーバとを備えたＩＣカードデータ管理センタと、
インターネットに接続でき、ＩＣカードが装着可能な端末装置とからなり、
ＩＣカードが装着され、配信ウエブサーバにアクセスした端末装置に対して、前記データベースサーバからＩＣカードの現在のメモリ容量、ダウンロード可能なアプリケーション情報を提示し、ダウンロード要求のあったアプリケーションを配信ウエブサーバを介してＩＣカードに対してダウンロードすることを特徴とするＩＣカード領域貸与管理システム。
【請求項２】
さらに、前記ＩＣカードデータ管理センタは、アプリケーションのダウンロード履歴データを基に課金データを生成する課金サーバを備えていることを特徴とする請求項１記載のＩＣカード領域貸与管理システム。
【請求項３】
アプリケーションのダウンロードの前に、カードに搭載しているアプリケーション一覧をチェックし、残りメモリ容量を把握することを特徴とする請求項１記載のＩＣカード領域貸与管理システム。
【請求項４】
アプリケーションのダウンロードの前に、カードホルダの属性をチェックし、当該カードホルダに、そのアプリケーションを搭載してよいか否かの判断をするビジネスロジックデータベースを具備することを特徴とする請求項１記載のＩＣカード領域貸与管理システム。
【発明の詳細な説明】
【０００１】
【発明の属する技術分野】
本発明は複数のアプリケーションを動的に追加搭載・削除可能なマルチアプリケーションＩＣカードにおいて個人のカードのメモリ容量を管理して領域貸与を行うシステムに関する。
【０００２】
【従来の技術】
従来、ＲＯＭ（リード・オンリ・メモリ）に制御プログラム、アプリケーションプログラムを格納する単機能ＩＣカードが使用されてきたが、近年、ＥＥＰＲＯＭ等の不揮発性メモリの容量の増加によって、複数のアプリケーションプログラムを不揮発性メモリに格納して多機能化を図ったマルチアプリケーションＩＣカードの実現が可能になっている（例、ＭＵＬＴＯＳ，Ｊａｖａ　Ｃａｒｄ）。
【０００３】
定期券とプリペイドカードとを併用するＩＣカードシステムも既に普及し、また、マルチアプリケーションＩＣカードの余ったメモリエリアを提携会社等に貸与し、各提携会社が個別に発行するカードを１つのＩＣカードに統合できるようにすることや、電子マネー、ポイントカード、チケット、クーポンなどを併用したり、ＩＣカードを携帯電話にセットしてモバイル決済を可能にすることなども考えられている。
【０００４】
【発明が解決しようとする課題】
マルチアプリケーションＩＣカードに関する管理権限は、カード発行者（イシュア）にあり、通常カードに搭載するアプリケーションはカードが工場で発行されるタイミングで静的に書き込んで出荷し、その後配送業者を経てエンドユーザ（生活者）の手元に届くようになっている。一度出荷し、生活者の手元に届いたカードについては、アプリケーションを動的に追加搭載、削除した場合に動的に変化するカード情報をイシュアが管理する手段がないため、生活者が任意のアプリケーションを選択し、追加、削除をすることができない仕組みになっていた。もし、生活者がアプリケーションを任意に追加、削除できるようにすると、イシュアの意図しない、例えば競合会社の作成したアプリケーションが搭載される可能性があり、イシュアの業務を妨げることになりかねないからである。
【０００５】
【課題を解決するための手段】
本発明は上記課題を解決しようとするもので、個人のマルチアプリケーションＩＣカードの情報をＩＣカードデータ管理センタ側のサーバで一元的に管理してカードのメモリ容量を管理し、生活者に対してカードの領域を貸与してアプリケーションの選択、追加、削除が任意に行えるようにすることを目的とする。
【０００６】
本発明では、イシュアから提供されたマルチアプリケーションＩＣカードに関する情報をＩＣカードデータ管理センタにおいてデータベース化して一元的に管理する。即ち、本来、アプリケーションを動的に追加、削除できるマルチアプリケーションＩＣカードにおいて、生活者個人のカード情報を登録した会員管理データベース、使用メモリ容量データベース、搭載アプリケーションデータベース、搭載可能なアプリケーション候補一覧データベース、イシュアデータベース、アプリケーションの作成者がビジネス上で競合関係にあるか否かを判断するためのビジネスロジックデータベース等をＩＣカードデータ管理センタ側で管理することにより、アプリケーションの追加権限管理を徹底し、イシュアの意図しない、競合会社の作成したアプリケーションなどが搭載されないように管理する。その結果、生活者が任意のアプリケーションを自由に選択し、自身のカードに追加したり、削除したりすることを可能にする。また、カード上のメモリについては、本来カード発行者であるイシュアに使用権限があり、生活者が任意にアプリケーションを追加するたびにイシュアの領域を使用したという考え方に立って、メモリ使用料としてイシュアから生活者、もしくは提携先のアプリケーション提供者へ課金請求するようにする。
【０００７】
図１は本発明のＩＣカード領域貸与管理システムを説明する概念図、図２は生活者側のパソコン画面上の表示例を示す図である。
ＩＣカードデータ管理センタ１は、イシュアから提供されたＩＣカードに関する情報をデータベース化して管理し、イシュアに代わってデータ管理業務を代行し、かつ生活者に対してアプリケーションの情報を配信するサービスを提供するセンタである。
【０００８】
顧客情報を一元的に管理するデータベースサーバ１０は、例えば会員の個人情報、カード番号、メモリ容量、搭載可能なアプリケーション一覧、イシュア情報等の各種データベース１１ａ、ビジネスロジックデータベース１１ｂを用いてデータ管理業務を行う。配信ウェブサーバ１２はデータベースサーバ１０から提供されるアプリケーションを生活者に対してインターネットを経由して配信するサーバであり、課金サーバ１３はアプリケーションのダウンロード履歴を管理するログサーバ１４のデータをもとに課金データを生成するサーバである。
【０００９】
このシステムにおいて、コンビニエンス・ストアや銀行あるいは公共施設に配置された各種端末３、ＩＣカードのＩ／Ｏデバイス（一般的にはリーダ／ライタ）を装着した生活者側のパソコン４、或いは携帯電話機５等の端末装置からインターネット網２を経由して配信ウェブサーバ１２にアプリケーションのダウンロードを要求すると、データベースサーバ１０はデータベース１１から要求者の個人情報、カードの空きメモリ容量等をチェックし、かつビジネスロジックＤＢを参照してダウンロード可能か否か判断する。可能である場合には競合関係等も考慮した搭載可能なアプリケーション一覧のデータを配信ウェブサーバ１２を通して提供し、ダウンロード可能とする。
【００１０】
次に、本発明のシステムの操作の流れの例について説明する。
▲１▼データベース１１には、イシュアが事前に会員を募集し、会員の属性情報、カード情報を会員管理データベースに登録する。
▲２▼イシュアは、様々なアプリケーションを自社で開発もしくは外部のアプリケーションサービスプロバイダからライセンス提供を受け、アプリケーション一覧データベースに登録する。
▲３▼生活者は、データ管理センタのサービスの利用をイシュアに対して申告し、配信ウェブサーバにアクセスするためのＩＤやパスワードの付与を受ける。
▲４▼生活者は、各種端末、パソコン、携帯電話機等から配信ウェブサーバ１２にアクセスし、自身のカードの現在のメモリ容量を確認する。
【００１１】
即ち、ＩＣカードを、例えばパソコンにセットして配信ウェブサーバにアクセスすると、データ管理センタ側ではデータベースサーバ１０がデータベース１１を参照し、アクセスしてきた生活者のカード情報を取り出してカードの現在のメモリ容量情報が送信され、例えば、図２（ａ）に示すように、「あなたのカードの現在のメモリ容量は１８ＫＢです」のように表示されるので、現在のメモリ容量が確認できる。
▲５▼生活者は、配信ウェブサーバにアクセスし、イシュアが登録したダウンロード可能アプリケーションの一覧を表示させる。例えば、図２（ｂ）に示すように、ダウンロード可能アプリケーション一覧として、「ＡＰ１：３ＫＢ、ＡＰ２：５ＫＢ、ＡＰ３：２ＫＢ……」というように表示される。
▲６▼表示させたアプリケーション一覧から、任意のアプリケーションを選択して自身のカードにダウンロードする。
▲７▼データ管理センタ側では、このときのダウンロード履歴をログサーバ１４に保持すると共に、データベース１１の使用メモリ容量を書き替える。
【００１２】
こうして生活者は任意のアプリケーションを選択し、生活者が自由にアプリケーションをダウンロードすることが可能となる。
【００１３】
【発明の実施の形態】
本発明のシステムにおいて以下のような２つの実施の形態、即ち、新ビジネスを成立させることができる。
（１）実施の形態１：イシュアとセンタ事業者
・個人情報、アプリケーショ情報、個人のカードのメモリ領域情報を管理するデータベースをＩＣカードデータ管理センタに設置し、管理業務代行サービスを
行う（センタ事業者）。
・イシュアは、センタ事業者にデータの管理業務代行を委託する。
・イシュアは、毎月の管理代行料をセンタ事業者に支払う。
・センタ事業者は、月次などで生活者のダウンロード履歴を集計し、集計結果をイシュアに提出する。この場合生活者毎にダウンロード回数、使用メモリ容量
を集計する。
・イシュアは、集計データをもとに生活者、もしくは提携先のアプリケーション
提供者への請求書を作成する。
（２）実施の形態２：イシュアと生活者
・生活者は、イシュアと契約し、自由にアプリケーションをダウンロードする許可を貰う。実際にはイシュアがそのサービスを行い、生活者がその利用を申し
込む形態であっても良い。
・また、アプリケーション提供者とイシュアが提携契約して、アプリケーション提供者の保有するアプリケーションを搭載許可する契約を締結するような形態
もありうる。
・ダウンロードしたアプリケーションの回数、もしくは使用しているカード上のメモリ容量に応じて課金し、イシュアから生活者、もしくは提携先のアプリケ
ーション提供者に使用料金、即ち、領域貸与料金を請求する。
【００１４】
【発明の効果】
以上のように、本発明によれば、以下のような効果が期待できる。
▲１▼センタ事業者側で面倒な生活者のメモリ使用状況管理業務を代行するので、イシュアの管理業務負荷が軽減できる。
▲２▼発行後のＩＣカードについてもアプリケーションの追加・削除状況をイシュアが把握することができる。
▲３▼ダウンロード履歴、メモリ使用状況をデータベースで保持するので、正確・安全なデータ管理ができる。
▲４▼生活者は、任意のタイミングで配信ウェブサーバにアクセスすることにより、簡便にアプリケーションの追加ができる。また、自身のカードのアプリケーション搭載状況を任意のタイミングで確認できる。
【図面の簡単な説明】
【図１】ＩＣカード領域貸与管理システムを説明する概念図である。
【図２】生活者側のパソコン画面上の表示例を示す図である。
【符号の説明】
１…ＩＣカードデータ管理センタ、２…インターネット網、３…各種端末、４…パソコン、５…携帯電話機、１０…データベースサーバ、１１ａ…各種データベース、１１ｂ…ビジネスロジックデータベース、１２…配信ウェブサーバ、１３…課金サーバ、１４…課金ログサーバ。
【図１】
2004030238.tif 000003
【図２】
2004030238.tif 000004